(57)【要約】  制御装置（１００）は、電力需要地における蓄電装置（７）の充放電を制御する。制御装置（１００）において、予測情報記憶手段は、電力需要地において発電される電力、又は、電力需要地において消費される電力のうちの少なくともいずれかに関する指標の予測情報であって、第１の時点において予測される第１の予測情報と、第１の時点よりも後の第２の時点において予測される第２の予測情報と、を記憶する。充放電制御手段は、第１の時点では、第１の予測情報に基づいて、蓄電装置（７）の充放電を制御し、第２の時点では、第２の予測情報に基づいて、蓄電装置（７）の充放電を制御する。補正手段は、第２の時点より前に、第１の予測情報と第１の時点における実績情報との関係に基づいて、予測情報記憶手段に記憶された第２の予測情報を補正する。
2017221411.tif 000002
【特許請求の範囲】
【請求項１】
電力需要地における蓄電装置の充放電を制御する制御装置であって、
前記電力需要地において発電される電力、又は、前記電力需要地において消費される電力のうちの少なくともいずれかに関する指標の予測情報であって、第１の時点において予測される第１の予測情報と、前記第１の時点よりも後の第２の時点において予測される第２の予測情報と、を記憶する予測情報記憶手段と、
前記第１の時点では、前記予測情報記憶手段に記憶された前記第１の予測情報に基づいて、前記蓄電装置の充放電を制御し、前記第２の時点では、前記予測情報記憶手段に記憶された前記第２の予測情報に基づいて、前記蓄電装置の充放電を制御する充放電制御手段と、
前記指標の、前記第１の時点における実績情報を取得する実績情報取得手段と、
前記第２の時点より前に、前記第１の予測情報と前記実績情報との関係に基づいて、前記予測情報記憶手段に記憶された前記第２の予測情報を補正する補正手段と、を備える、
制御装置。
【請求項２】
前記予測情報記憶手段に記憶された前記第１の予測情報及び前記第２の予測情報に基づいて、前記蓄電装置による充放電の計画を生成する計画生成手段、を更に備え、
前記充放電制御手段は、前記計画生成手段によって生成された前記計画に従って、前記蓄電装置の充放電を制御し、
前記計画生成手段は、前記補正手段によって前記第２の予測情報が補正されると、前記補正手段によって補正された後の前記第２の予測情報に基づいて、前記計画を更新する、
請求項１に記載の制御装置。
【請求項３】
前記予測情報記憶手段に記憶された前記第１の予測情報及び前記第２の予測情報に基づいて、前記第１の時点及び前記第２の時点における、前記電力需要地における発電量又は消費電力量のうちの少なくともいずれかを予測する予測手段、を更に備え、
前記計画生成手段は、前記予測手段によって予測された前記発電量又は前記消費電力量に基づいて、前記計画を生成する、
請求項２に記載の制御装置。
【請求項４】
前記補正手段は、前記第１の予測情報と前記実績情報との乖離の度合が閾値より大きい場合に、前記実績情報に基づいて、前記予測情報記憶手段に記憶された前記第２の予測情報を補正する、
請求項１から３のいずれか１項に記載の制御装置。
【請求項５】
前記補正手段は、前記予測情報記憶手段に記憶された前記第２の予測情報を代替データで置換することで、前記予測情報記憶手段に記憶された前記第２の予測情報を補正する、
請求項１から４のいずれか１項に記載の制御装置。
【請求項６】
前記補正手段は、前記予測情報記憶手段に記憶された前記第２の予測情報を前記代替データで置換した後、前記第２の予測情報と前記実績情報との乖離の度合が閾値より大きい場合に、前記実績情報に基づいて、前記予測情報記憶手段に記憶された前記第２の予測情報を補正する、
請求項５に記載の制御装置。
【請求項７】
前記第１の予測情報と前記実績情報との関係に基づいて、前記蓄電装置の充放電、又は、前記電力需要地において消費される電力のうちの少なくともいずれかを調整する調整手段、を更に備える、
請求項１から６のいずれか１項に記載の制御装置。
【請求項８】
前記調整手段は、ユーザが経済性と快適性と環境性とのうちのいずれを優先するかに応じて、前記蓄電装置の充放電と前記電力需要地において消費される電力とのうちのいずれかを調整する、
請求項７に記載の制御装置。
【請求項９】
前記予測情報記憶手段に記憶された前記第１の予測情報と、前記実績情報取得手段によって取得された前記実績情報と、のうちの少なくともいずれかを報知する報知手段、を更に備える、
請求項１から８のいずれか１項に記載の制御装置。
【請求項１０】
前記報知手段は、前記補正手段によって補正される前の前記第２の予測情報と、前記補正手段によって補正された後の前記第２の予測情報と、を報知する、
請求項９に記載の制御装置。
【請求項１１】
前記予測情報記憶手段は、前記電力需要地において発電される電力に関する指標の予測情報として、前記電力需要地における天気、日照時間、又は日射量の予測情報を記憶し、前記電力需要地において消費される電力に関する指標の予測情報として、前記電力需要地における少なくとも１つの機器の稼働状態、気温、湿度、又は電力の価格の予測情報を記憶する、
請求項１から１０のいずれか１項に記載の制御装置。
【請求項１２】
請求項１から１１のいずれか１項に記載の制御装置と、前記蓄電装置と、前記蓄電装置に充電又は放電させる電力変換装置と、を備える、
電力管理システム。
【請求項１３】
電力需要地における蓄電装置の充放電の制御方法であって、
第１の時点において、前記電力需要地において発電される電力、又は、前記電力需要地において消費される電力のうちの少なくともいずれかに関する指標の予測情報に基づいて、前記蓄電装置の充放電を制御し、
前記指標の、前記第１の時点における実績情報を取得し、
前記予測情報と前記実績情報との関係に基づいて、前記予測情報を補正し、
前記第１の時点より後の第２の時点において、補正した前記予測情報に基づいて、前記蓄電装置の充放電を制御する、
充放電の制御方法。
【請求項１４】
電力需要地において発電される電力、又は、前記電力需要地において消費される電力のうちの少なくともいずれかに関する指標の予測情報であって、第１の時点において予測される第１の予測情報と、前記第１の時点よりも後の第２の時点において予測される第２の予測情報と、を記憶する予測情報記憶手段を備え、前記電力需要地における蓄電装置の充放電を制御するコンピュータを、
前記第１の時点では、前記予測情報記憶手段に記憶された前記第１の予測情報に基づいて、前記蓄電装置の充放電を制御し、前記第２の時点では、前記予測情報記憶手段に記憶された前記第２の予測情報に基づいて、前記蓄電装置の充放電を制御する充放電制御手段、
前記指標の、前記第１の時点における実績情報を取得する実績情報取得手段、
前記第２の時点より前に、前記第１の予測情報と前記実績情報との関係に基づいて、前記予測情報記憶手段に記憶された前記第２の予測情報を補正する補正手段、として機能させる、
プログラム。
【発明の詳細な説明】
【技術分野】
【０００１】
本発明は、制御装置、電力管理システム、充放電の制御方法及びプログラムに関する。
【背景技術】
【０００２】
近年、蓄電池又は電気自動車等の蓄電装置の普及に伴い、電力需要地で蓄電装置が利用されるケースが増えている。このような電力需要地における蓄電装置の充放電を、電気代、天候又は居住者の生活パターン等を考慮して制御する技術が知られている。【０００３】
例えば、特許文献１は、気象予報情報を用いて太陽電池の発電量を予測し、予測結果を用いて蓄電池の充放電の運用計画を作成するエネルギーシステムの制御装置を開示している。特許文献１に開示された制御装置は、発電量又は電力需要量の予測値と計測値との誤差が大きい場合、蓄電池の充放電量を一段階増減した場合のコストをシミュレーションで計算し、コストが減少するのであれば、蓄電池の充放電量の指令値を変更する。これにより、発電量又は電力需要量が一時的に変動しても、蓄電池の充放電を最適に制御することができる。
【先行技術文献】
【特許文献】
【０００４】
【特許文献１】特開２００５−１４３２１８号公報
【発明の概要】
【発明が解決しようとする課題】
【０００５】
特許文献１に開示された制御装置は、発電量又は電力需要量の予測が外れた場合であっても、コストを抑えるように蓄電池の充放電量をリアルタイムで補正することはできる。しかしながら、特許文献１は、予測の精度を向上させることについては開示していない。そのため、予測の精度を向上させて、蓄電装置の充放電を的確に制御することが望まれている。【０００６】
本発明は、上述のような課題を解決するためになされたものであり、蓄電装置の充放電を的確に制御することが可能な制御装置等を提供することを目的とする。
【課題を解決するための手段】
【０００７】
上記目的を達成するため、本発明に係る制御装置は、
電力需要地における蓄電装置の充放電を制御する制御装置であって、
前記電力需要地において発電される電力、又は、前記電力需要地において消費される電力のうちの少なくともいずれかに関する指標の予測情報であって、第１の時点において予測される第１の予測情報と、前記第１の時点よりも後の第２の時点において予測される第２の予測情報と、を記憶する予測情報記憶手段と、
前記第１の時点では、前記予測情報記憶手段に記憶された前記第１の予測情報に基づいて、前記蓄電装置の充放電を制御し、前記第２の時点では、前記予測情報記憶手段に記憶された前記第２の予測情報に基づいて、前記蓄電装置の充放電を制御する充放電制御手段と、
前記指標の、前記第１の時点における実績情報を取得する実績情報取得手段と、
前記第２の時点より前に、前記第１の予測情報と前記実績情報との関係に基づいて、前記予測情報記憶手段に記憶された前記第２の予測情報を補正する補正手段と、を備える。
【発明の効果】
【０００８】
本発明では、制御装置が、電力需要地において発電される電力、又は、電力需要地において消費される電力のうちの少なくともいずれかに関する指標の予測情報であって、第１の時点において予測される第１の予測情報と、第１の時点よりも後の第２の時点において予測される第２の予測情報と、を記憶する予測情報記憶手段を備え、第２の時点より前に、第１の予測情報と第１の時点における実績情報との関係に基づいて、予測情報記憶手段に記憶された第２の予測情報を補正する。従って、本発明によれば、蓄電装置の充放電を的確に制御することができる。
【図面の簡単な説明】
【０００９】
【図１】実施の形態１に係る電力管理システムの全体構成を示す図である。
【図２】実施の形態１に係る制御装置のハードウェア構成を示すブロック図である。
【図３】実施の形態１に係る制御装置における記憶部の機能的な構成を示すブロック図である。
【図４】実施の形態１に係る制御装置における制御部の機能的な構成を示すブロック図である。
【図５】蓄電装置の充放電計画の第１の例を示す図である。
【図６】蓄電装置の充放電計画の第２の例を示す図である。
【図７】蓄電装置の充放電計画の第３の例を示す図である。
【図８】報知部による第１の報知例を示す図である。
【図９】報知部による第２の報知例を示す図である。
【図１０】実施の形態１に係る制御装置によって実行される充放電計画処理の流れを示すフローチャートである。
【図１１】実施の形態２に係る制御装置のハードウェア構成を示すブロック図である。
【図１２】実施の形態２に係る制御装置における記憶部の機能的な構成を示すブロック図である。
【図１３】実施の形態２に係る制御装置における制御部の機能的な構成を示すブロック図である。
【図１４】実施の形態２に係る制御装置によって実行される充放電計画処理の流れを示すフローチャートである。
【図１５】変形例における電力管理システムの全体構成を概略的に示す図である。
【発明を実施するための形態】
【００１０】
以下、本発明の実施の形態について、図面を参照しながら詳細に説明する。なお、図中同一又は相当部分には同一符号を付す。
【００１１】
（実施の形態１）
図１に、本発明の実施の形態１に係る電力管理システム１０００の全体構成を示す。電力管理システム１０００は、家屋Ｈで消費される電力を管理する、いわゆるＨＥＭＳ（Home Energy Management System）と呼ばれるシステムである。家屋Ｈは、いわゆる一般的な住宅建物であって、系統電源４、発電装置５及び蓄電装置７から供給される電力の需要地（電力需要地）である。家屋Ｈは、系統電源４から、分電盤２を介して電力の供給を受ける。系統電源４は、電力事業者と家屋Ｈとの間で電力を授受するための商用電源である。
【００１２】
図１に示すように、電力管理システム１０００は、電力を消費する複数の機器１Ａ，１Ｂ，１Ｃ，…と、電力を計測する電力計測装置３と、太陽光により発電する発電装置５と、直流と交流との間で電力を変換する電力変換装置６と、電力を蓄積する蓄電装置７と、ユーザインタフェースである入出力端末８と、電力管理システム１０００を統括的に管理する制御装置１００と、を備える。
【００１３】
複数の機器１Ａ，１Ｂ，１Ｃ，…のそれぞれは、例えば、テレビ、空調機、給湯機、冷蔵庫、照明器、床暖房システム、又はＩＨ（Induction Heating）調理器等の電気機器である。複数の機器１Ａ，１Ｂ，１Ｃ，…のそれぞれは、家屋Ｈ（その敷地も含む）内に設置され、分電盤２により分岐された電力線を介して、系統電源４、発電装置５及び蓄電装置７と電気的に接続されている。以下では、複数の機器１Ａ，１Ｂ，１Ｃ，…のそれぞれを区別せずに称する場合には、機器１と総称する。
【００１４】
各機器１は、無線通信インタフェースを備え、家屋Ｈ内に構築された無線ネットワークを介して、制御装置１００と通信する。この無線ネットワークは、例えば、エコーネットライト（ECHONET Lite）に準じたネットワークである。なお、各機器１は、外付けの通信アダプタ（図示せず）を介して、この無線ネットワークに接続される仕様であっても良い。各機器１は、制御装置１００からの制御命令に応じて運転状態を変更する。また、各機器１は、制御装置１００からの要求に応答して、機器ＩＤ（Identification）と現在時刻と現在の運転状態とを示す情報とを格納したデータ（運転状態データ）を、無線ネットワークを介して制御装置１００に送信する。
【００１５】
電力計測装置３は、家屋Ｈに配設された電力線（電力供給路）のそれぞれを送電される電力を計測する。具体的に説明すると、電力計測装置３は、系統電源４と分電盤２との間に配設された電力線、電力変換装置６と分電盤２との間に配設された電力線、電力変換装置６と蓄電装置７との間に配設された電力線、及び、分電盤２と複数の機器１Ａ，１Ｂ，１Ｃ，…のそれぞれとの間に配設された電力線を送電される電力を計測する。電力計測装置３は、これら電力線にそれぞれ接続されたＣＴ（Current Transformer）１〜ＣＴ６の各々と通信線を介して接続される。ＣＴ１〜ＣＴ６は、交流電流を計測するセンサである。
【００１６】
電力計測装置３は、いずれも図示しないが、ＣＰＵ（Central Processing Unit）、ＲＯＭ（Read Only Memory）、ＲＡＭ（Random Access Memory）、通信インタフェース及び読み書き可能な不揮発性の半導体メモリ等を備える。また、電力計測装置３は、無線通信インタフェースを備え、家屋Ｈ内に構築された前述の無線ネットワークを介して、制御装置１００と通信する。なお、電力計測装置３は、外付けの通信アダプタ（図示せず）を介して、この無線ネットワークに接続される仕様であってもよい。
【００１７】
電力計測装置３は、制御装置１００からの要求に応答して、計測によって得られた各電力線を送電される電力の値を計測値として格納した計測データを生成し、制御装置１００に送信する。送信される計測データには、電力計測装置３の機器アドレス、電力線のＩＤ及び計測時刻等も格納されている。なお、電力計測装置３は、制御装置１００からの要求に応答して、各計測値を一括して格納した計測データを生成して制御装置１００に送信してもよい。
【００１８】
発電装置５は、家屋Ｈに設置され、家屋Ｈの電力需要家によって所有される分散型電源である。発電装置５は、自然エネルギー、化石燃料又は燃料電池等のうちのいずれかを利用して発電する。自然エネルギーは、例えば太陽光又は風力等である。以下では、発電装置５は、太陽光により発電する太陽光発電（ＰＶ：Photovoltaic）装置であることを例にとって説明する。
【００１９】
発電装置５は、例えば多結晶シリコン型のソーラーパネルであるＰＶパネルを備える。ＰＶパネルは、家屋Ｈの屋根の上に設置され、太陽光エネルギーを電気エネルギーに変換することで太陽光発電する。発電装置５は、ＰＶパネルによって発電された電力を、電力変換装置６を介して各機器１または系統電源４に電力を供給する。
【００２０】
発電装置５による発電量が家屋Ｈにおける総消費電力を超えると、家屋Ｈでは余剰電力が生じる。余剰電力が生じると、家屋Ｈの電力需要家は、余剰電力を逆潮電力として系統電源４へ供給することで、電気事業者に電力を売る（売電する）ことができる。
【００２１】
電力変換装置６は、例えばパワーコンディショナであって、直流電流と交流電流との間での変換と電圧の変換とのうちの少なくともいずれかを実行する。電力変換装置６は、発電装置５において発電された電力、及び蓄電装置７から放電された電力の供給を受け、供給された電力を分電盤２に出力する。その際、電力変換装置６は、発電装置５又は蓄電装置７から供給された電力を、家屋Ｈ内で使用できるように、直流から交流に変換して出力する。また、電力変換装置６は、分電盤２から供給された電力を蓄電装置７に出力し、蓄電装置７に充電させる。その際、電力変換装置６は、分電盤２から供給された電力を、交流から直流に変換して出力する。
【００２２】
電力変換装置６は、いずれも図示しないが、ＣＰＵ、ＲＯＭ、ＲＡＭ、通信インタフェース及び読み書き可能な不揮発性の半導体メモリ等を備える。また、電力変換装置６は、家屋Ｈ内に構築された前述の無線ネットワークを介して、制御装置１００と通信する。なお、電力変換装置６は、外付けの通信アダプタ（図示せず）を介して、この無線ネットワークに接続される仕様であっても良い。
【００２３】
蓄電装置７は、家屋Ｈの敷地内において、電力系統４又は発電装置５から供給された電力を蓄電する装置である。蓄電装置７は、家屋Ｈの敷地内に設置された定置型の蓄電池、又は電気自動車（ＥＶ：Electric Vehicle）であって、例えばニカド電池、ニッケル水素電池、リチウムイオン電池又は鉛蓄電池等を備える。蓄電装置７は、予め貯蓄した電力を直流電力として放電し、電力変換装置６を介して機器１に交流電力として供給する。
【００２４】
電力変換装置６は、分電盤２側の交流電力と蓄電装置７側の直流電力とを相互に変換するＡＣ−ＤＣコンバータ、直流電力の電圧を変換する変圧器、及び電力を変換するためのスイッチング素子を備える。電力変換装置６は、スイッチング素子にハイレベルの信号が入力されている場合には電力を変換し、スイッチング素子にローレベルの信号が入力されている場合には電力を変換しない。
【００２５】
電力変換装置６は、蓄電装置７の充放電の制御命令を、制御装置１００から無線ネットワークを介して取得する。そして、電力変換装置６は、取得した制御命令に従って、電力変換を実行するか否かを決定し、蓄電装置７に充電又は放電させる。電力変換が実行される場合には、蓄電装置７は充電又は放電し、電力変換が実行されない場合には、蓄電装置７は充電又は放電しない。また、電力変換装置６は、蓄電装置７の充電量を監視して、充電量を制御装置１００に通知する。
【００２６】
入出力端末８は、例えば、スマートフォン、タブレット端末、リモコン、携帯電話又はノート型パソコン等の携帯機器である。入出力端末８は、押しボタン、タッチパネル又はタッチパッド等の入力デバイスと、有機ＥＬ（Electro-Luminescence）ディスプレイ又は液晶ディスプレイ等の表示デバイスと、を備える。また、入出力端末８は、通信インタフェースを備え、Ｗｉ−Ｆｉ（登録商標）、Ｗｉ−ＳＵＮ（登録商標）又は有線ＬＡＮ（Local Area Network）等、周知の通信規格に則って制御装置１００と通信する。入出力端末８は、ユーザからの操作を受け付け、受け付けた操作内容を示す情報を制御装置１００に送信する。また、入出力端末８は、制御装置１００から送信された、ユーザに提示するための情報を受信し、受信した情報を表示する。このように、入出力端末８は、ユーザインタフェースとしての役割を担う。
【００２７】
制御装置１００は、家屋Ｈ内に設置された各機器から無線ネットワークを介して送信される情報を収集する情報収集ユニットである。制御装置１００は、一例として、家屋Ｈ内に設置された各機器を統合的に制御することが可能なＨＥＭＳコントローラである。制御装置１００は、複数の機器１Ａ，１Ｂ，１Ｃ…を制御し、複数の機器１Ａ，１Ｂ，１Ｃ…の稼働状態を監視する。また、制御装置１００は、電力変換装置６を介して蓄電装置７の充放電を制御する。制御装置１００は、家屋Ｈ内で消費される電力を監視し、入出力端末８を介して電力の消費状況を表示する。
【００２８】
また、図１に示すように、制御装置１００は、広域ネットワークＮと接続されている。広域ネットワークＮは、例えばインターネット等であって、サーバ１０と少なくとも１つの電力需要家における制御装置１００をつなぎ、情報の送受信を中継する。制御装置１００は、広域ネットワークＮを介して、サーバ１０と通信する。
【００２９】
サーバ１０は、制御装置１００と連携して電力管理システム１０００を機能させるためのサーバであって、例えばクラウドコンピューティングにおけるリソースを提供するサーバである。サーバ１０は、制御装置１００の動作に必要なデータを記憶する。サーバ１０は、例えば、電力計測装置３による計測結果、及び、制御装置１００によって収集された機器１の運転状態等を、制御装置１００から取得して蓄積する。また、サーバ１０は、天気予報、気温、湿度、日照時間又は日射量等の天候情報を地域別に記憶している。さらに、サーバ１０は、系統電源４との間で売買される電力の価格（売買単価）を時間帯別に記憶している。サーバ１０は、制御装置１００からの要求に応じて、これら記憶しているデータを制御装置１００に提供する。
【００３０】
図２に、制御装置１００のハードウェア構成を示す。図２に示すように、制御装置１００は、制御部２１と、記憶部２２と、計時部２３と、宅内通信部２４と、宅外通信部２５と、を備える。これら各部はバス２９を介して接続されている。
【００３１】
制御部２１は、いずれも図示しないが、ＣＰＵ、ＲＯＭ及びＲＡＭ等を備える。ＣＰＵは、中央処理装置、中央演算装置、プロセッサ、マイクロプロセッサ、マイクロコンピュータ又はＤＳＰ（Digital Signal Processor）等ともいう。制御部２１において、ＣＰＵは、ＲＯＭに格納されたプログラム及びデータを読み出し、ＲＡＭをワークエリアとして用いて、制御装置１００を統括制御する。
【００３２】
記憶部２２は、例えば、フラッシュメモリ、ＥＰＲＯＭ（Erasable Programmable ROM）又はＥＥＰＲＯＭ（Electrically Erasable Programmable ROM）等の不揮発性の半導体メモリであって、いわゆる二次記憶装置（補助記憶装置）としての役割を担う。記憶部２２は、制御部２１が各種処理を行うために使用する各種プログラム及びデータ、並びに、制御部２１が各種処理を行うことにより生成又は取得する各種データを記憶する。
【００３３】
計時部２３は、ＲＴＣ（Real Time Clock）を備えており、制御装置１００の電源がオフの間も計時を継続する計時デバイスである。
【００３４】
宅内通信部２４は、家屋Ｈ内に構築された前述の無線ネットワークを介して通信するためのインタフェースである。宅内通信部２４は、制御部２１の制御の下、各機器１、電力計測装置３及び電力変換装置６のそれぞれと無線ネットワークを介して通信する。また、宅内通信部２４は、制御部２１の制御の下、入出力端末８と、Ｗｉ−Ｆｉ（登録商標）、Ｗｉ−ＳＵＮ（登録商標）又は有線ＬＡＮ等を介して通信する。
【００３５】
宅外通信部２５は、広域ネットワークＮに接続して通信するためのインタフェースである。宅外通信部２５は、広域ネットワークＮを介して、サーバ１０と通信する。宅外通信部２５は、広域ネットワークＮを介して、例えば天候情報及び電力の売買単価に関する情報等を、サーバ１０から取得する。
【００３６】
次に、図３を参照して、記憶部２２の機能的な構成について説明する。図３に示すように、記憶部２２は、機能的に、設備情報記憶部２０１と、予測情報記憶部２０２と、代替データ記憶部２０３と、実績情報記憶部２０４と、計画記憶部２０５と、を備える。これらは、記憶部２２内の適宜の記憶領域に構築される。
【００３７】
設備情報記憶部２０１は、設備情報を記憶する。設備情報とは、各機器１、発電装置５及び蓄電装置７等、家屋Ｈにおける設備の識別情報及び特性情報等である。設備情報記憶部２０１は、設備情報として、例えば、各機器１の電力消費特性と、蓄電装置７の蓄電容量及び充放電に伴う効率と、発電装置５における発電効率と、を記憶している。設備情報は、広域ネットワークＮと、入出力端末８を介したユーザの入力と、のいずれかにより取得され、設備情報記憶部２０１に予め記憶される。
【００３８】
予測情報記憶部２０２は、家屋Ｈにおいて発電される電力、又は家屋Ｈにおいて消費される電力のうちの少なくともいずれかに関する指標の予測情報を記憶する。家屋Ｈにおいて発電される電力に関する指標とは、発電装置５による発電量に影響を与える要素であって、具体的には、家屋Ｈにおける天気、日照時間又は日射量等のような発電環境に関する情報を含む。家屋Ｈにおいて消費される電力に関する指標とは、家屋Ｈにおける電力の消費に影響を与える要素であって、具体的には、家屋Ｈにおける各機器１の稼働状態に関する情報と、気温又は湿度等のような各機器１の使用環境に関する情報と、系統電源４との間で売買される電力の価格に関する情報を含む。
【００３９】
予測情報記憶部２０２は、このような家屋Ｈにおいて発電又は消費される電力に関する指標の、将来の複数の時点における予測情報を記憶する。具体的に説明すると、予測情報記憶部２０２は、発電環境及び使用環境に関する予測情報として、天気、気温、湿度、日照時間又は日射量等の予報情報を記憶する。また、予測情報記憶部２０２は、各機器１の稼働状態に関する予測情報として、各機器１の使用スケジュール又はユーザのスケジュール等の予定情報を記憶する。更に、予測情報記憶部２０２は、電力の価格に関する予定情報として、時間帯又は季節等に応じて変動する売買単価の予定情報を記憶する。
【００４０】
予測情報は、広域ネットワークＮと、入出力端末８を介したユーザの入力と、のいずれかにより取得され、予測情報記憶部２０２に予め記憶される。また、新たな予測情報が取得される度に、予測情報記憶部２０２に記憶された予測情報は更新される。なお、予測情報記憶部２０２に記憶される予測情報のうち、将来の複数の時点における第１の時点において予測される予測情報を第１の予測情報といい、第１の時点よりも後の第２の時点において予測される予測情報を第２の予測情報という。
【００４１】
代替データ記憶部２０３は、代替データを記憶する。代替データとは、予測が外れた場合に、予測情報記憶部２０２に記憶された予測情報の代替として使用されるデータである。代替データ記憶部２０３は、例えば日射量に関する代替データとして、実績情報記憶部２０４に記憶された実績情報のうちの、日射量が最小となる雨天日におけるデータ及び日射量が最大となる晴天日におけるデータを記憶する。また、代替データ記憶部２０３は、気温又は湿度に関する代替データとして、各季節の各時刻において推定される最大値及び最小値のデータを記憶する。このような代替データは、入出力端末８を介したユーザの入力と、実績情報記憶部２０４に記憶された実績情報からの生成と、広域ネットワークＮと、のうちの少なくともいずれかにより取得され、代替データ記憶部２０３に予め記憶される。
【００４２】
実績情報記憶部２０４は、予測情報記憶部２０２に記憶された予測情報に対する実績情報を記憶する。実績情報とは、予測情報記憶部２０２に記憶された予測情報に対して、予測情報が予測された各時点において実際に得られた情報である。言い換えると、実績情報は、例えば天気、気温、湿度、日照時間又は日射量等のような発電環境及び使用環境、電力の価格、並びに、各機器１の稼働状態が、予測情報が予測された各時点において実際にはどうであったのかを示す情報である。
【００４３】
実績情報記憶部２０４は、予測情報記憶部２０２に記憶された予測情報の精度に関する精度情報を更に記憶する。精度情報は、予測精度に関する任意の値であって、例えば過去一年間において、条件毎に、予測情報が実績情報と一致した、又は実績情報の近傍であった比率を含む。
【００４４】
計画記憶部２０５は、蓄電装置７による充放電の計画を記憶する。充放電の計画とは、現時点よりも将来の期間において、充電又は放電を開始するタイミング、充電又は放電を終了するタイミング、及び、充電又は放電を開始する場合にはその量を定めた情報である。制御装置１００は、計画記憶部２０５に記憶された計画に従って、蓄電装置７に充電させるか、放電させるか、又は充電も放電もさせないかを決定する。そして、制御装置１００は、電力変換装置６に制御命令を送信することで、蓄電装置７の充放電を制御する。
【００４５】
次に、図４を参照して、制御部２１の機能的な構成について説明する。図４に示すように、制御部２１は、機能的に、予測部３００と、計画生成部３０３と、充放電制御部３０４と、実績情報取得部３０５と、補正部３１０と、報知部３２０と、を備える。これらの各機能は、ソフトウェア、ファームウェア、又は、ソフトウェアとファームウェアとの組み合わせによって実現される。ソフトウェア及びファームウェアは、プログラムとして記述され、各機器におけるＲＯＭ又は記憶部２２に格納される。そして、制御部２１において、ＣＰＵが、ＲＯＭ又は記憶部２２に記憶されたプログラムを実行することによって、各部の機能を実現する。
【００４６】
予測部３００は、予測情報記憶部２０２に記憶された、第１の予測情報及び第２の予測情報を含む複数の時点の予測情報に基づいて、第１の時点及び第２の時点を含む複数の時点における、家屋Ｈにおける発電量又は消費電力量のうちの少なくともいずれかを予測する。予測部３００は、発電装置５による発電量を予測する発電量予測部３０１と、家屋Ｈにおける消費電力量を予測する消費電力量予測部３０２と、の機能を含む。予測部３００の機能は、制御部２１が記憶部２２と協働することによって実現される。
【００４７】
発電量予測部３０１は、予測情報記憶部２０２に記憶された予測情報、及び設備情報記憶部２０１に記憶された設備情報に基づいて、発電装置５による発電量を予測する。具体的に説明すると、発電量予測部３０１は、予測情報記憶部２０２に記憶された予測情報のうちの、天気と日照時間と日射量とのうちの少なくともいずれかに関する予測情報を参照する。また、発電量予測部３０１は、設備情報記憶部２０１に記憶された設備情報のうちの、発電装置５の発電効率を参照する。このように参照して得られた情報に基づいて、発電量予測部３０１は、将来の一定期間において発電装置５によって発電される量の予測値を算出する。ここで、一定期間は、例えば３０分又は２４時間等であって、任意の長さの期間で良い。
【００４８】
消費電力量予測部３０２は、予測情報記憶部２０２に記憶された予測情報、及び設備情報記憶部２０１に記憶された設備情報に基づいて、家屋Ｈにおける消費電力量を予測する。具体的に説明すると、消費電力量予測部３０２は、予測情報記憶部２０２に記憶された予測情報のうちの、ユーザのスケジュールと各機器１の使用パターンと気温と湿度とのうちの少なくともいずれかに関する予測情報を参照する。また、消費電力量予測部３０２は、設備情報記憶部２０１に記憶された設備情報のうちの、各機器１の電力消費特性を参照する。このように参照して得られた情報に基づいて、消費電力量予測部３０２は、将来の一定期間において家屋Ｈにおいて消費される量の予測値を算出する。ここで、一定期間は、例えば３０分又は２４時間等であって、任意の長さの期間で良い。
【００４９】
計画生成部３０３は、発電量予測部３０１によって予測された発電量と、消費電力量予測部３０２によって予測された消費電力量と、に基づいて、蓄電装置７による充放電の計画を生成する。具体的に説明すると、計画生成部３０３は、第１に、電力の売買単価の予測情報に基づいて、家屋Ｈ内で消費するための電源と、発電装置５による発電電力の使途と、蓄電装置７に充電するための電源と、の優先順位を決定する。そして、計画生成部３０３は、第２に、決定した優先順位の制約の下、発電量の予測値と消費電力量の予測値とを比較して、蓄電装置７に充電させるか、放電させるか、又は充電も放電もさせないかを決定する。
【００５０】
図５、図６及び図７に、電力の売買単価に基づいて決定された優先順位の例を示す。図５に示す計画は、買電単価が相対的に高い時間帯において、買電量を抑えることを目的とした場合の計画である。この計画では、消費用の電源の優先順位は、発電電力、蓄電電力、及び買電電力の順に、発電電力の使途の優先順位は、消費、充電、及び売電の順に、充電用の電源は、発電電力のみと指定される。言い換えると、発電量が消費電力量より小さい場合、その差分を補うために蓄電装置７を放電させることを優先させ、系統電源４から買電することはなるべく避ける。また、発電量が消費電力量より大きい場合、すなわち発電電力が余る場合には蓄電装置７に充電するが、系統電源４から買電してまでは充電しない。
【００５１】
これに対して、図６に示す計画は、売電単価が相対的に高い時間帯において、売電量を増やすことを目的とした場合の計画である。この計画では、発電電力の使途の優先順位は、図５に示した計画とは異なり、消費、売電、及び充電の順に指定される。言い換えると、発電量が消費電力量より大きい場合に余る発電電力の使途として、蓄電装置７への充電よりも系統電源４への売電を優先させる。
【００５２】
また、図７に示す計画は、買電単価又は売電単価が相対的に低い時間帯において、充電量を増やすことを目的とした場合の計画である。この計画では、消費用の電源の優先順位は、図５に示した計画とは異なり、発電電力、買電電力、及び蓄電電力の順に指定される。言い換えると、発電量が消費電力量より小さい場合、系統電源４から買電することを優先させ、蓄電装置７から放電することはなるべく避ける。また、充電用の電源は、発電電力、買電電力と指定される。言い換えると、発電装置５による発電電力だけでなく、系統電源４からの買電によっても蓄電装置７に充電させる。
【００５３】
計画生成部３０３は、このような図５から図７に示した計画を組み合わせて、予め定められた任意の時間単位で充放電の計画を生成する。このように、予め定められた複数の計画を組み合わせて使用することで、時間帯毎の計画内容を簡潔に表現することができ、ユーザが容易に認知することが可能となる。
【００５４】
計画生成部３０３は、前述のようにして生成した充放電の計画を、計画記憶部２０５に保存する。計画生成部３０３の機能は、制御部２１によって実現される。
【００５５】
充放電制御部３０４は、計画生成部３０３によって生成された充放電の計画に従って、蓄電装置７の充放電を制御する。具体的に説明すると、充放電制御部３０４は計画生成部３０３によって生成された計画に含まれる複数の時点のうちの第１の時点では、予測情報記憶部２０２に記憶された第１の予測情報に基づいて生成された計画に従って、蓄電装置７の充放電を制御し、第２の時点では、予測情報記憶部２０２に記憶された第２の予測情報に基づいて生成された計画に従って、蓄電装置７の充放電を制御する。
【００５６】
充放電制御部３０４は、宅内通信部２４により家屋Ｈ内に構築された無線ネットワークを介して電力変換装置６と通信することによって、蓄電装置７の充放電を制御する。具体的に説明すると、充放電制御部３０４は、計画記憶部２０５に記憶された計画を参照し、充電又は放電を開始させる時刻が到来すると、その旨の制御命令を電力変換装置６に送信し、充電又は放電を終了させる時刻が到来すると、その旨の制御命令を電力変換装置６に送信する。電力変換装置６は、充放電制御部３０４から制御命令を受信すると、受信した制御命令に従って電力を変換し、蓄電装置７に充電又は放電を開始又は終了させる。このように、充放電制御部３０４の機能は、制御部２１が計時部２３及び宅内通信部２４等と協働することによって実現される。
【００５７】
或いは、充放電制御部３０４は、計画記憶部２０５に記憶された計画を電力変換装置６に通知することで、蓄電装置７の充放電を制御しても良い。この場合、充放電制御部３０４は、電力変換装置６からの問い合わせと規定周期の到来とのうちの少なくともいずれかによって、計画記憶部２０５に記憶された計画の内容を示す情報を、宅内通信部２４を介して電力変換装置６に送信する。ここで、規定周期は、例えば３０分又は３時間等であって、任意の長さで良い。電力変換装置６は、充放電制御部３０４から受信した計画に従って、蓄電装置７に充電又は放電を開始又は終了させる。
【００５８】
実績情報取得部３０５は、家屋Ｈにおいて発電又は消費される電力に関する前述した指標の、計画生成部３０３によって生成された充放電の計画に含まれる複数の時点における実績情報を取得する。
【００５９】
具体的に説明すると、実績情報取得部３０５は、発電環境、使用環境及び電力の価格に関する実績情報を、宅外通信部２５を介して広域ネットワークＮから取得する。また、実績情報取得部３０５は、各機器１の稼働状態に関する実績情報として、電力計測装置３によって得られた各機器１の消費電力の計測値を、電力計測装置３から宅内通信部２４を介して取得する。或いは、実績情報取得部３０５は、これらの実績情報を、入出力端末８を介したユーザの入力によって取得することもできる。
【００６０】
実績情報取得部３０５は、取得した実績情報を実績情報記憶部２０４に保存する。このように、実績情報取得部３０５の機能は、制御部２１が宅内通信部２４及び宅外通信部２５等と協働することによって実現される。
【００６１】
補正部３１０は、予測情報記憶部２０２に記憶された予測情報と、実績情報取得部３０５によって取得された実績情報と、の関係に基づいて、予測情報記憶部２０２に記憶された予測情報を補正する。補正部３１０は、補正要否判定部３１１と、乖離要因推定部３１２と、補正結果評価部３１３と、の機能を含む。補正部３１０の機能は、制御部２１が記憶部２２と協働することによって実現される。
【００６２】
補正要否判定部３１１は、予測情報記憶部２０２に記憶された予測情報の補正の要否を判定する。具体的に説明すると、補正要否判定部３１１は、実績情報取得部３０５によって実績情報が取得されると、予測情報記憶部２０２に記憶された複数の時点における予測情報のうちの、取得された実績情報と対応する時点における予測情報と、この実績情報と、を比較する。比較の結果、補正要否判定部３１１は、予測情報と実績情報との乖離の度合を基準として、補正の要否を判定する。具体的に説明すると、補正要否判定部３１１は、予測情報と実績情報との乖離の度合が閾値より大きい場合、予測情報の補正が必要であると判定し、乖離の度合が閾値より小さい場合、予測情報の補正が不要であると判定する。
【００６３】
例えば、ある時点における気温、湿度、日照時間、日射量、又は電力の売買単価の予測値と、その時点におけるその指標の実績値と、の差が、予め定められた閾値より大きい場合、補正要否判定部３１１は、その指標の予測情報の補正が必要であると判定する。また、ある時点における天気が晴れであるとの予測情報に対して、その時点における天気が実際には雨であるとの実績情報が取得された場合、補正要否判定部３１１は、天気の予測情報の補正が必要であると判定する。更に、ある時点における機器１の稼働状態の予測情報に対して、その時点におけるその機器１の稼働状態が異なる状態にあるとの実績情報が取得された場合、補正要否判定部３１１は、機器１の稼働状態の予測情報の補正が必要であると判定する。ここで、機器１の稼働状態が予測とは異なる状態にある場合とは、機器１が稼働していると予測していたのに対して、実際には停止又は待機していた場合、及びその逆だけでなく、機器１が劣化又は故障等の理由によって想定していた能力で稼働できない場合も含む。
【００６４】
乖離要因推定部３１２は、補正要否判定部３１１によって予測情報の補正が必要であると判定された場合、予測情報と実績情報との乖離の要因を推定する。例えば、天気、気温、湿度、日照時間又は日射量等の予測情報の補正が必要であると判定された場合、乖離要因推定部３１２は、天気予報が外れたことが乖離の要因であると推定する。また、各機器１の稼働状態の予測情報の補正が必要であると判定された場合、乖離要因推定部３１２は、ユーザのスケジュール又は各機器１の使用パターンが変更したことが乖離の要因であると推定する。
【００６５】
補正部３１０は、補正要否判定部３１１によって予測情報の補正が必要であると判定された場合、予測情報記憶部２０２に記憶された予測情報を補正する。例えば、第１の時点において予測される第１の予測情報とそれに対応する実績情報との関係に基づいて補正が必要であると判定された場合、補正部３１０は、第１の時点よりも後の第２の時点において予測される第２の予測情報を、第２の時点より前に、補正する。このように、補正部３１０は、予測情報記憶部２０２に記憶された予測情報のうちの現時点より後の予測情報を補正することで、以後の予測情報の精度を上げる。
【００６６】
補正の方法として、補正部３１０は、実績情報に基づく予測情報の補正と、代替データ記憶部２０３に記憶された代替データで予測情報を置換することによる補正と、の２通りの補正を実施する。具体的に説明すると、第１の予測情報と実績情報との乖離の度合が閾値より大きいため補正要否判定部３１１によって補正が必要であると判定された場合、補正部３１０は、予測情報記憶部２０２に記憶された第２の予測情報を含む現時点より後の予測情報を、代替データ記憶部２０３に記憶された代替データに置換する。前述したように、代替データ記憶部２０３には、予測が外れた場合に使用される代替データが記憶されている。
【００６７】
補正要否判定部３１１は、予測情報記憶部２０２に記憶された第２の予測情報を代替データで置換した後、再度の補正の要否を判定する。具体的に説明すると、補正要否判定部３１１は、代替データで置換された後の第２の予測情報と実績情報との乖離の度合が閾値より大きい場合に、予測情報の再度の補正が必要であると判定し、乖離の度合が閾値より小さい場合、予測情報の再度の補正が不要であると判定する。
【００６８】
補正部３１０は、予測情報記憶部２０２に記憶された第２の予測情報を代替データで置換した後、補正要否判定部３１１によって予測情報の再度の補正が必要であると判定された場合、実績情報に基づいて、予測情報記憶部２０２に記憶された第２の予測情報を含む現時点より後の予測情報を、補正する。具体的に説明すると、補正部３１０は、予測情報と実績情報との乖離の度合が小さくなるように、予測情報記憶部２０２に記憶された予測情報を補正する。例えば、補正部３１０は、気温、湿度、日照時間又は日射量の実績値が予測値よりも小さい場合は、予測情報記憶部２０２に記憶された今後の気温、湿度、日照時間又は日射量の予測値を小さくし、これらの指標の実績値が予測値よりも大きい場合は、予測情報記憶部２０２に記憶された今後の予測値を大きくする。
【００６９】
また、機器１の実際の稼働状態が、予測された稼働状態とは異なる場合、予測情報記憶部２０２に記憶された、その機器１の稼働パターンを修正する。例えば、特定の時刻において、機器１が稼働していないと予測されているにも拘わらず、実際にはその機器１が稼働していた場合、補正部３１０は、予測情報記憶部２０２に記憶された機器１の今後の稼働パターンを、その時刻において稼働すると予測されるように修正する。このように、補正部３１０は、乖離要因推定部３１２によって推定された乖離の要因に応じて、その要因における予測情報と実績情報との差異が小さくなるように、予測情報を補正する。
【００７０】
予測情報を補正すると、予測部３００は、補正した予測情報に基づいて、発電装置５による発電量及び家屋Ｈにおける消費電力量を新たに予測する。そして、計画生成部３０３は、予測の結果に基づいて、新たな充放電の計画を生成し、生成した計画で、計画記憶部２０５に記憶された計画を更新する。これにより、補正の結果が計画に反映される。この後、充放電制御部３０４は、新たな計画に従って、蓄電装置７の充放電を制御する。
【００７１】
補正結果評価部３１３は、予測情報記憶部２０２に記憶された補正後の予測情報と、実績情報記憶部２０４に記憶された実績情報と、に基づいて、補正部３１０によって実施された補正の精度を評価する。
【００７２】
報知部３２０は、予測情報記憶部２０２に記憶された予測情報と、実績情報取得部３０５によって取得された実績情報と、前記計画記憶部２０５に記憶された充放電の計画と、のうちの少なくともいずれかを報知する。
【００７３】
図８に、日射量に関する予測情報及び実績情報の報知例を示す。図８に示すように、報知部３２０は、報知情報として日射量の予測値と実績値との推移を示すグラフを生成し、宅内通信部２４を介して入出力端末８に送信する。入出力端末８は、報知部３２０から報知情報を受信すると、受信した報知情報を表示部に表示する。報知部３２０は、このような報知処理を、入出力端末８からの要求に応じて実行する。報知部３２０は、制御部２１が宅内通信部２４と協働することによって実現される。
【００７４】
また、報知部３２０は、補正部３１０によって補正される前の予測情報と、補正部３１０によって補正された後の予測情報と、を報知する。具体的に説明すると、報知部３２０は、補正部３１０によって予測情報が補正されると、例えば図９に示すように、図８に示した日射量の予測値と実測値との推移を示すグラフに、更に補正後の予測値を追加して報知する。図９に示すように、補正後の予測値は、補正前の予測値よりも、実績値に近くなる。
【００７５】
更に、報知部３２０は、補正要否判定部３１１によって予測情報の補正が必要であると判定された場合に、補正が必要である旨、及び乖離要因推定部３１２によって推定された要因を、入出力端末８に報知する。なお、報知部３２０は、充放電の計画を報知する際、その計画によって得られる経済的効果を併せて報知しても良い。このように、報知部３２０が入出力端末８を介して報知処理を実行することによって、ユーザが蓄電装置７の充放電の制御に関する様々な情報を認識し易くなる。
【００７６】
以上のように構成された実施の形態１に係る制御装置１００によって実行される充放電計画処理の流れについて、図１０に示すフローチャートを参照して、説明する。
【００７７】
図１０に示す充放電計画処理は、設備情報記憶部２０１に設備情報が予め記憶され、且つ、予測情報記憶部２０２に予測情報が予め記憶されている状態において、一定周期毎に、又は、入出力端末８を介して受け付けたユーザの指示によって実行される。ここで、一定周期は、例えば６時間又は２４時間等であって、任意の周期で良い。
【００７８】
なお、図１０に示す充放電計画処理が実行されている間、制御部２１は、充放電制御部３０４として機能し、計画記憶部２０５に記憶されている計画に従って、電力変換装置６を介して蓄電装置７の充放電を制御する。また、報知部３２０は、予測情報記憶部２０２に記憶された予測情報、実績情報記憶部２０４に記憶された実績情報、又は、計画記憶部２０５に記憶された充放電の計画を、入出力端末８からの要求に応じて入出力端末８に送信し、入出力端末８の表示部を介して報知する。
【００７９】
図１０に示す充放電計画処理が開始すると、制御装置１００の制御部２１は、発電装置５による発電量及び家屋Ｈにおける消費電力量を予測する（ステップＳ１０１）。具体的に説明すると、制御部２１は、予測情報記憶部２０２に記憶された予測情報、及び、設備情報記憶部２０１に記憶された設備情報を参照する。そして、制御部２１は、現時点よりも将来の一定期間において発電装置５によって発電される量の予測値、及び、家屋Ｈにおいて消費される量の予測値を算出する。ステップＳ１０１において、制御部２１は、予測部３００として機能する。
【００８０】
発電量及び消費電力量を予測すると、制御部２１は、予測結果に基づいて、蓄電装置７による充放電の計画を生成する（ステップＳ１０２）。具体的に説明すると、制御部２１は、電力の売買単価の予測情報に基づいて、家屋Ｈ内で消費するための電源と、発電装置５による発電電力の使途と、蓄電装置７に充電するための電源と、の優先順位を決定する。例えば、制御部２１は、図５から図７に示したように、優先順位を決定する。そして、制御部２１は、優先順位の制約の下、発電量の予測値と消費電力量の予測値とを比較して、蓄電装置７に充電させるか、放電させるか、又は充電も放電もさせないかを、予め定められた時間単位で決定する。
【００８１】
制御部２１は、このようにして充放電の計画を生成すると、生成した計画を計画記憶部２０５に保存する。ステップＳ１０２において、制御部２１は、計画生成部３０３として機能する。
【００８２】
充放電の計画を生成すると、制御部２１は、実績情報を取得する（ステップＳ１０３）。具体的に説明すると、制御部２１は、予測情報記憶部２０２に記憶された複数の時点における予測情報のうちの、既に経過した時点における予測情報に対する実績情報を取得する。例えば、制御部２１は、天気、気温、湿度、日照時間又は日射量等のような発電環境及び使用環境に関する実績情報と、電力の価格に関する実績情報とを、宅外通信部２５を介して広域ネットワークＮから、又は、入出力端末８を介したユーザの入力によって、取得する。また、制御部２１は、各機器１の稼働状態に関する実績情報として、電力計測装置３によって得られた各機器１の消費電力の計測値を、電力計測装置３から宅内通信部２４を介して取得する。
【００８３】
制御部２１は、このようにして実績情報を取得すると、取得した実績情報を実績情報記憶部２０４に保存する。ステップＳ１０３において、制御部２１は、実績情報取得部３０５として機能する。
【００８４】
実績情報を取得すると、制御部２１は、取得した実績情報に基づいて、予測情報記憶部２０２に記憶された予測情報の補正の要否を判定する（ステップＳ１０４）。具体的に説明すると、制御部２１は、取得した実績情報と、予測情報記憶部２０２に記憶されている対応する予測情報と、を比較する。比較の結果、予測情報と実績情報との乖離の度合が閾値より大きい場合に、制御部２１は、予測情報の補正が必要であると判定する。ステップＳ１０４において、制御部２１は、補正要否判定部３１１として機能する。
【００８５】
補正が必要でないと判定した場合（ステップＳ１０４；ＮＯ）、制御部２１は、図１０に示した充放電計画処理を終了する。
【００８６】
これに対して、補正が必要であると判定した場合（ステップＳ１０４；ＹＥＳ）、制御部２１は、予測情報記憶部２０２に記憶された予測情報を、代替データ記憶部２０３に記憶された代替データに置換する（ステップＳ１０５）。言い換えると、制御部２１は、予測情報と実績情報との乖離が大きい場合、以後の予測情報として、代替データ記憶部２０３に記憶された代替データを利用する。
【００８７】
予測情報を代替データに置換すると、制御部２１は、予測情報記憶部２０２に記憶された予測情報の補正の要否を、再度、判定する（ステップＳ１０６）。具体的に説明すると、制御部２１は、代替データで置換された後の予測情報と実績情報とを比較し、予測情報が実績情報との乖離の度合が閾値以内に収まったか否かを判定する。制御部２１は、代替データで置換された後の予測情報と実績情報との乖離の度合が閾値より大きい場合に、制御部２１は、予測情報の補正が必要であると判定する。ステップＳ１０６において、制御部２１は、補正要否判定部３１１として機能する。
【００８８】
再度の補正が必要でないと判定した場合（ステップＳ１０６；ＮＯ）、制御部２１は、図１０に示した充放電計画処理を終了する。
【００８９】
これに対して、再度の補正が必要であると判定した場合（ステップＳ１０６；ＹＥＳ）、制御部２１は、予測情報と実績情報との乖離の要因を推定する（ステップＳ１０７）。ステップＳ１０７において、制御部２１は、乖離要因推定部３１２として機能する。
【００９０】
乖離の要因を推定すると、制御部２１は、乖離要因推定部３１２によって推定された乖離の要因に応じて、予測情報記憶部２０２に記憶された予測情報を補正する（ステップＳ１０８）。具体的に説明すると、制御部２１は、予測情報と実績情報との乖離の度合が小さくなるように、予測情報記憶部２０２に記憶された現時点より後の予測情報を補正する。ステップＳ１０８において、制御部２１は、補正部３１０として機能する。
【００９１】
予測情報を補正すると、制御部２１は、補正した予測情報に基づいて、計画記憶部２０５に記憶された充放電の計画を更新する（ステップＳ１０９）。具体的に説明すると、制御部２１は、補正した予測情報に基づいて、発電装置５による発電量及び家屋Ｈにおける消費電力量を新たに予測する。そして、新たな予測結果に基づいて、新たな充放電の計画を生成し、生成した計画を計画記憶部２０５に保存する。
【００９２】
充放電の計画を更新すると、制御部２１は、補正結果を評価し、補正結果が正常であるか否かを判定する（ステップＳ１１０）。ステップＳ１１０において、制御部２１は、補正結果評価部３１３として機能する。評価の結果、補正結果が正常でないと判定した場合（ステップＳ１１０；ＮＯ）、制御部２１は、ステップＳ１０７の処理に戻って、予測情報記憶部２０２に記憶された予測情報を再度補正する。これに対して、補正結果が正常であると判定した場合（ステップＳ１１０；ＹＥＳ）、制御部２１は、図１０に示した充放電計画処理を終了する。
【００９３】
以上説明したように、実施の形態１に係る電力管理システム１０００及び制御装置１００は、天気、気温、湿度、日照時間、日射量、機器１の稼働状態又は電力の売買単価等、家屋Ｈにおいて発電又は消費される電力に関する指標の予測情報を記憶する予測情報記憶部２０２を備え、第２の時点より前に、第１の時点における予測情報と実績情報との関係に基づいて、予測情報記憶部２０２に記憶された、現時点より後の時点における予測情報を補正する。これにより、予測が不確実である場合であっても、実績情報に基づいて予測情報を補正することができるため、予測の精度を向上させることができる。
【００９４】
その結果、蓄電装置７の充放電を的確に制御することができる。蓄電装置７の充放電を的確に制御することで、例えば、電気料金の予想外の上昇による経済性への影響を抑制することができる。また、蓄電装置７の残量の不足によるユーザの利便性及び快適性への影響を抑制することができる。
【００９５】
（実施の形態２）
次に、本発明の実施の形態２について説明する。
【００９６】
上記実施の形態１に係る制御装置１００は、予測情報記憶部２０２に記憶された予測情報の補正の要否を判定し、補正が必要であると判定した場合に予測情報を補正して、蓄電装置７の充放電の計画を再度生成した。これに対して、実施の形態２に係る制御装置１００ａは、実施の形態１と同様に予測情報の補正した上で、蓄電装置７の充放電又は各機器１の消費電力を調整することによって、電力管理システム１０００内の電力をより積極的に制御する。以下、説明する。
【００９７】
図１１に、実施の形態２に係る制御装置１００ａのハードウェア構成を示す。図２に示すように、制御装置１００ａは、制御部２１ａと、記憶部２２ａと、計時部２３と、宅内通信部２４と、宅外通信部２５と、を備える。これら各部はバス２９を介して接続されている。
【００９８】
なお、実施の形態２に係る電力管理システム１０００における制御装置１００ａ以外の構成は、実施の形態１に係る構成と共通である。また、計時部２３、宅内通信部２４及び宅外通信部２５の機能は、実施の形態１に係る制御装置１００におけるものと共通である。そのため、これらの詳細な説明は省略する。
【００９９】
制御部２１ａは、いずれも図示しないが、ＣＰＵ、ＲＯＭ及びＲＡＭ等を備える。制御部２１ａにおいて、ＣＰＵは、ＲＯＭに格納されたプログラム及びデータを読み出し、ＲＡＭをワークエリアとして用いて、制御装置１００ａを統括制御する。
【０１００】
記憶部２２ａは、例えば、フラッシュメモリ、ＥＰＲＯＭ又はＥＥＰＲＯＭ等の不揮発性の半導体メモリであって、いわゆる二次記憶装置（補助記憶装置）としての役割を担う。記憶部２２ａは、制御部２１ａが各種処理を行うために使用する各種プログラム及びデータ、並びに、制御部２１ａが各種処理を行うことにより生成又は取得する各種データを記憶する。
【０１０１】
図１２を参照して、記憶部２２ａの機能的な構成について説明する。図１２に示すように、記憶部２２ａは、機能的に、設備情報記憶部２０１と、予測情報記憶部２０２と、代替データ記憶部２０３と、実績情報記憶部２０４と、計画記憶部２０５と、特性記憶部２０６と、嗜好記憶部２０７と、を備える。これらは、記憶部２２ａ内の適宜の記憶領域に構築される。なお、特性記憶部２０６及び嗜好記憶部２０７以外の構成は、実施の形態１におけるものと共通であるため、説明を省略する。
【０１０２】
特性記憶部２０６は、家屋Ｈにおける各機器１の節電能力特性に関する情報を記憶する。節電能力特性とは、各機器１が節電を実施した場合におけるその特性である。具体的に説明すると、節電能力特性に関する情報は、例えば機器１が空調機であれば、空調機の設定温度を３℃下げることで空調機の消費電力を２０％削減することができる、又は、節電機能を使用することにより消費電力を１５％削減することできるとの情報である。
【０１０３】
嗜好記憶部２０７は、ユーザの嗜好に関する情報を記憶する。ユーザの嗜好とは、各機器１による消費電力を調整する際に、経済性と快適性と環境性とのうちのいずれの項目をユーザが重視するかである。嗜好記憶部２０７は、ユーザが経済性と快適性と環境性とのうちのいずれを優先するかを示すスコアである優先度を、ユーザの嗜好性を表す指標として記憶する。
【０１０４】
また、嗜好記憶部２０７は、ユーザが保持している入出力端末８を認識し、機器１を利用しているユーザを識別することにより、ユーザの嗜好性を示す指標として、ユーザ毎の機器１の動作設定及び機器１の利用の傾向を記憶する。これにより、ユーザの嗜好に関する入力がユーザから得られない場合、又は、実際の嗜好とユーザが認識する自身の嗜好との間に差異がある場合でも、実績情報に基づいた更新が可能であり、調整の品質を向上させることができる。
【０１０５】
次に、図１３を参照して、制御部２１ａの機能的な構成について説明する。図１３に示すように、制御部２１ａは、機能的に、予測部３００と、計画生成部３０３と、充放電制御部３０４と、実績情報取得部３０５と、補正部３１０と、報知部３２０と、調整部３３０と、を備える。なお、調整部３３０以外の構成は、実施の形態１におけるものと共通であるため、説明を省略する。
【０１０６】
調整部３３０は、予測情報記憶部２０２に記憶された予測情報と、実績情報取得部３０５によって取得された実績情報と、の関係に基づいて、蓄電装置７の充放電、又は、家屋Ｈにおいて消費される電力のうちの少なくともいずれかを調整する。調整部３３０は、調整要否判定部３３１と、調整結果評価部３３２と、の機能を含む。調整部３３０の機能は、制御部２１ａが記憶部２２ａ、計時部２３及び宅内通信部２４等と協働することによって実現される。
【０１０７】
調整要否判定部３３１は、蓄電装置７の充放電又は各機器１の消費電力の調整の要否を判定する。具体的に説明すると、調整要否判定部３３１は、実績情報取得部３０５によって実績情報が取得されると、予測情報記憶部２０２に記憶された複数の時点における予測情報のうちの、取得された実績情報と対応する時点における予測情報と、この実績情報と、を比較する。比較の結果、調整要否判定部３３１は、予測情報と実績情報との乖離の度合が第２の閾値より大きい場合、調整が必要であると判定し、乖離の度合が第２の閾値より小さい場合、調整が不要であると判定する。
【０１０８】
この第２の閾値は、補正要否判定部３１１が予測情報の補正の要否の判定に用いた閾値（第１の閾値）と同じであっても良いし、異なっていても良い。例えば、第２の閾値を第１の閾値よりも大きい値に設定した場合、制御装置１００ａは、予測情報と実績情報との乖離の度合がまず第１の閾値を超えた場合に予測情報を補正し、乖離の度合が第２の閾値を超えた場合に予測情報の補正と電力の調整とをどちらも実行する。このように２段階で補正及び調整を実行することで、より精度良く蓄電装置７の充放電を制御することができる。
【０１０９】
調整部３３０は、調整要否判定部３３１によって調整が必要であると判定された場合、蓄電装置７の充放電、又は、家屋Ｈにおいて消費される電力のうちの少なくともいずれかを調整する。このとき、調整部３３０は、嗜好記憶部２０７を参照し、ユーザが経済性と快適性と環境性とのうちのいずれを優先するかに応じて、蓄電装置７の充放電と家屋Ｈにおいて消費される電力とのうちのいずれかを調整する。
【０１１０】
具体的に説明すると、例えば日照時間又は日射量の予測値と実績値との関係から、発電装置５による発電量が予測よりも少ないと判定される場合、調整部３３０は、発電量の不足分を補うために、蓄電装置７の放電量を増やす、又は、家屋Ｈにおける各機器１の消費電力量を減らす。同様に、各機器１の稼働状態に関する予測情報と実績情報との関係から、家屋Ｈにおける消費電力量が予測よりも多いと判定される場合、調整部３３０は、消費電力量の過剰分を補うために、蓄電装置７の放電量を増やす、又は、家屋Ｈにおける各機器１の消費電力量を減らす。
【０１１１】
このとき、ユーザが快適性を優先する場合には、各機器１の使用に支障が出ることを避けるため、調整部３３０は、家屋Ｈにおける各機器１の消費電力量を減らさず、蓄電装置７の放電量を増やす。蓄電装置７が放電不可能な場合には、系統電源４から買電される。これに対して、ユーザが経済性又は環境性を優先する場合には、買電することを避けるため、調整部３３０は、家屋Ｈにおける各機器１の消費電力量を減らす。具体的に説明すると、調整部３３０は、稼働を停止させるか、又は、稼働状態を消費電力量が少ない他の状態に変更することによって、各機器１の消費電力量を減らす。なお、蓄電装置７が放電可能な場合には、放電量を増やしても良い。
【０１１２】
蓄電装置７の充放電を調整する場合、調整部３３０は、宅内通信部２４を介して電力変換装置６と通信し、電力変換装置６に蓄電装置７の制御命令を送信する。これに対して、家屋Ｈにおいて消費される電力を調整する場合、調整部３３０は、特性記憶部２０６に記憶された各機器１の節電能力特性を参照し、各機器１の運転状態と負荷特性との関係から必要な制御内容を決定する。そして、調整部３３０は、宅内通信部２４を介して制御対象の機器１に制御命令を送信する。
【０１１３】
調整結果評価部３３２は、蓄電装置７の充放電又は各機器１の消費電力の調整結果を評価する。具体的に説明すると、調整結果評価部３３２は、調整結果が、嗜好記憶部２０７に記憶されたユーザの嗜好性を示す指標に合致するか否かを評価する。例えば、ユーザの嗜好が経済性を重視するものである場合、調整結果評価部３３２は、調整によって買電電力を減少させる、すなわち電気料金を下げる結果が得られたか否かを評価する。或いは、ユーザの嗜好が快適性を重視するものである場合、調整結果評価部３３２は、調整によって各機器１の消費電力を減少させない結果が得られたか否かを評価する。評価の結果、ユーザの嗜好に合致する結果が得られていないと評価した場合、ユーザの嗜好に合致する結果が得られるまで、調整部３３０は、再度、調整を実行する。
【０１１４】
以上のように構成された実施の形態２に係る制御装置１００ａによって実行される充放電計画処理の流れについて、図１４に示すフローチャートを参照して、説明する。
【０１１５】
図１４に示す充放電計画処理は、設備情報記憶部２０１に設備情報が予め記憶され、且つ、予測情報記憶部２０２に予測情報が予め記憶され、特性記憶部２０６に節電能力特性に関する情報が予め記憶され、嗜好記憶部２０７にユーザの嗜好に関する情報が予め記憶されている状態において、一定周期毎に、又は、入出力端末８を介して受け付けたユーザの指示によって実行される。ここで、一定周期は、例えば６時間又は２４時間等であって、任意の周期で良い。
【０１１６】
図１４に示す充放電計画処理が開始すると、制御部２１ａは、ステップＳ１０１からステップＳ１１０の処理を実行する。このステップＳ１０１からステップＳ１１０の処理は、実施の形態１において図１０を参照して説明した処理と共通であるため、説明を省略する。
【０１１７】
ステップＳ１０１からステップＳ１１０の処理を終了すると、制御部２１ａは、蓄電装置７の充放電又は各機器１の消費電力の調整の要否を判定する（ステップＳ２０１）。具体的に説明すると、制御部２１ａは、ステップＳ１０３において取得した実績情報と、予測情報記憶部２０２に記憶されている対応する予測情報と、を比較する。比較の結果、予測情報と実績情報との乖離の度合が第２の閾値より大きい場合に、制御部２１ａは、調整が必要であると判定する。ステップＳ２０１において、制御部２１ａは、調整要否判定部３３１として機能する。
【０１１８】
調整が必要でないと判定した場合（ステップＳ２０１；ＮＯ）、制御部２１ａは、図１４に示した充放電計画処理を終了する。
【０１１９】
これに対して、調整が必要であると判定した場合（ステップＳ２０１；ＹＥＳ）、制御部２１ａは、蓄電装置７の充放電又は機器１の消費電力を調整する（ステップＳ２０２）。具体的に説明すると、制御部２１ａは、嗜好記憶部２０７に記憶されたユーザの嗜好に応じて、蓄電装置７の放電量の調整と、家屋Ｈにおける各機器１の消費電力量の調整と、のうちの少なくともいずれかを実行する。ステップＳ２０２において、制御部２１ａは、調整部３３０として機能する。
【０１２０】
蓄電装置７の充放電又は各機器１の消費電力を調整すると、制御部２１ａは、調整結果を評価し、再度の調整が必要であるか否かを判定する（ステップＳ２０３）。具体的に説明すると、制御部２１ａは、調整結果が、嗜好記憶部２０７を参照し、ユーザの嗜好に合致するか否かを評価し、ユーザの嗜好に合致する結果が得られていない場合に、再度の調整が必要であると判定する。ステップＳ２０３において、制御部２１ａは、調整結果評価部３３２として機能する。
【０１２１】
評価の結果、再度の調整が必要であると判定した場合（ステップＳ２０３；ＹＥＳ）、制御部２１ａは、ステップＳ２０２の処理に戻って、蓄電装置７の充放電又は各機器１の消費電力を再度調整する。これに対して、再度の調整が必要でないと判定した場合（ステップＳ２０３；ＮＯ）、制御部２１ａは、図１４に示した充放電計画処理を終了する。
【０１２２】
以上説明したように、実施の形態２に係る電力管理システム１０００及び制御装置１００ａは、予測情報と実績情報とが乖離している場合、蓄電装置７の充放電、又は、家屋Ｈにおいて消費される電力のうちの少なくともいずれかを調整する。このように電力の収支を積極的に制御することで、予測が外れた場合に、予測情報の補正だけでは対応しきれない偏差を取り除くことができる。その結果、蓄電装置７の充放電をより的確に制御することができる。
【０１２３】
（変形例）
以上、本発明の実施の形態を説明したが、本発明を実施するにあたっては、種々の形態による変形及び応用が可能である。
【０１２４】
例えば、上記実施の形態では、予測情報記憶部２０２は、家屋Ｈにおいて発電又は消費される電力に関する指標の予測情報として、家屋Ｈにおける天気、気温又は日射量等、発電装置５による発電量、又は家屋Ｈにおける消費電力量に影響を与える要素の予測情報を記憶していた。しかしながら、本発明において、予測情報記憶部２０２は、家屋Ｈにおいて発電される電力に関する指標として、発電装置５による発電量そのものの予測情報を記憶し、家屋Ｈにおいて消費される電力に関する指標の予測情報として、家屋Ｈにおける消費電力量そのものの予測情報を記憶しても良い。この場合、計画生成部３０３は、予測情報記憶部２０２に記憶された発電量又は消費電力量に基づいて、蓄電装置７による充放電の計画を生成する。また、実績情報取得部３０５は、発電量又は消費電力量の実績情報を取得し、補正部３１０は、予測情報記憶部２０２に記憶された発電量又は消費電力量と実績情報取得部３０５によって取得された発電量又は消費電力量とを比較して補正の要否を判定し、予測情報記憶部２０２に記憶された発電量又は消費電力量を補正する。
【０１２５】
また、予測情報記憶部２０２は、家屋Ｈにおいて発電される電力に関する指標と、家屋Ｈにおいて消費される電力に関する指標と、のうちのいずれか１つのみを記憶しても良い。この場合、制御装置１００は、発電量予測部３０１と消費電力量予測部３０２とのうちのいずれか１つのみを備え、発電量と消費電力量とのいずれか１つのみを予測する。そして、計画生成部３０３は、予測された発電量又は消費電力量に基づいて、充放電の計画を生成する。
【０１２６】
上記実施の形態では、電力計測装置３がＣＴ１〜ＣＴ６によって各電力線を送電される電力を計測し、その計測値を制御装置１００に送信した。しかしながら、電力計測装置３が他の装置に含まれていても良いし、電力計測装置３以外の装置が電力を計測しても良い。例えば、電力計測装置３が複数の機器１Ａ，１Ｂ，１Ｃ，…の一部又は全部に内蔵されており、電力計測装置３を内蔵した機器１が、自機の消費電力を計測し、制御装置１００に送信しても良い。また、電力変換装置６が、自身に入力される電力及び自身から出力される電力を計測し、制御装置１００に送信しても良い。このようにして得られた電力の計測値は、家屋Ｈ内に構築された無線ネットワークを介して適宜送信され、各機器間で共有することができる。
【０１２７】
また、図１では、１台の電力変換装置６に対して発電装置５及び蓄電装置７の２台の設備が接続されていた。しかしながら、発電装置５及び蓄電装置７のそれぞれに対して１台ずつ電力変換装置が設置されていても良い。また、発電装置５及び蓄電装置７のそれぞれが電力変換装置を内蔵しても良い。
【０１２８】
上記実施の形態では、発電装置５は、家屋Ｈに設置されていた。しかしながら、発電装置５は、系統電源４とは別の電力系統であれば、家屋Ｈとは離れた敷地に設置され、遠隔から家屋Ｈに電力を供給するものであっても良い。この場合、発電装置５が設置された場所を含めて電力需要地という。また、電力需要地は、上述した家屋Ｈのような一般住宅であることに限らず、系統電源４から電力の供給を受ける場所であれば、集合住宅、施設、ビル又は工場等であっても良い。また、電力需要地において電力を消費する機器１は複数に限らず、少なくとも１つ以上であれば良い。
【０１２９】
上記実施の形態では、制御装置１００，１００ａが家屋Ｈ内に設置されている場合について説明した。しかしながら、本発明において、制御装置１００，１００ａと同等の機能を有する装置を家屋Ｈ外に設置しても良い。図１５に、この場合の電力管理システム１００１の例を示す。図１５に示す電力管理システム１００１では、家屋Ｈには、制御装置１００，１００ａの代わりにルータ９が設置されている。ルータ９は、広域ネットワークＮを介してサーバ１０と通信する装置であって、例えばブロードバンドルータである。この場合、ルータ９とサーバ１０とが協調して制御装置１００，１００ａの役割を果たす。
【０１３０】
上記実施の形態では、入出力端末８が表示部及び入力部を備えており、制御装置１００，１００ａは、入出力端末８に入力された入力情報を、無線又は有線通信を介して取得し、表示情報を入出力端末８に送信して表示した。しかしながら、本発明において、制御装置１００，１００ａが表示部及び入力部を備えていても良い。すなわち、制御装置１００，１００ａ自身に、入出力端末８の機能が備わっていても良い。
【０１３１】
上記実施の形態では、制御装置１００，１００ａの制御部２１，２１ａにおいて、ＣＰＵがＲＯＭ又は記憶部２２，２２ａに記憶されたプログラムを実行することによって、予測部３００と、計画生成部３０３と、充放電制御部３０４と、実績情報取得部３０５と、補正部３１０と、報知部３２０と、調整部３３０と、のそれぞれとして機能した。しかしながら、本発明において、制御部２１，２１ａは、専用のハードウェアであっても良い。専用のハードウェアとは、例えば単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。制御部２１，２１ａが専用のハードウェアである場合、各部の機能それぞれを個別のハードウェアで実現しても良いし、各部の機能をまとめて単一のハードウェアで実現しても良い。
【０１３２】
また、各部の機能のうち、一部を専用のハードウェアによって実現し、他の一部をソフトウェア又はファームウェアによって実現しても良い。このように、制御部２１，２１ａは、ハードウェア、ソフトウェア、ファームウェア、又は、これらの組み合わせによって、上述の各機能を実現することができる。
【０１３３】
本発明に係る制御装置１００，１００ａの動作を規定する動作プログラムを既存のパーソナルコンピュータ又は情報端末装置等のコンピュータに適用することで、当該コンピュータを、本発明に係る制御装置１００，１００ａとして機能させることも可能である。
【０１３４】
また、このようなプログラムの配布方法は任意であり、例えば、ＣＤ−ＲＯＭ（Compact Disk ROM）、ＤＶＤ（Digital Versatile Disk）、ＭＯ（Magneto Optical Disk）、又は、メモリカード等のコンピュータ読み取り可能な記録媒体に格納して配布しても良いし、インターネット等の通信ネットワークを介して配布しても良い。
【０１３５】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、請求の範囲によって示される。そして請求の範囲内及びそれと同等の発明の意義の範囲内で施される様々な変形が、この発明の範囲内とみなされる。
【産業上の利用可能性】
【０１３６】
本発明は、電力を管理するシステム等に好適に採用され得る。
【符号の説明】
【０１３７】
１，１Ａ，１Ｂ，１Ｃ  機器、２  分電盤、３  電力計測装置、４  系統電源、５  発電装置、６  電力変換装置、７  蓄電装置、８  入出力端末、９  ルータ、１０  サーバ
１００，１００ａ  制御装置、２１，２１ａ  制御部、２２，２２ａ  記憶部、２３  計時部、２４  宅内通信部、２５  宅外通信部、２９  バス、２０１  設備情報記憶部、２０２  予測情報記憶部、２０３  代替データ記憶部、２０４  実績情報記憶部、２０５  計画記憶部、２０６  特性記憶部、２０７  嗜好記憶部、３００  予測部、３０１  発電量予測部、３０２  消費電力量予測部、３０３  計画生成部、３０４  充放電制御部、３０５  実績情報取得部、３１０  補正部、３１１  補正要否判定部、３１２  乖離要因推定部、３１３  補正結果評価部、３２０  報知部、３３０  調整部、３３１  調整要否判定部、３３２  調整結果評価部、１０００、１００１  電力管理システム、Ｈ  家屋、Ｎ  広域ネットワーク
【図１】
2017221411.tif 000003
【図２】
2017221411.tif 000004
【図３】
2017221411.tif 000005
【図４】
2017221411.tif 000006
【図５】
2017221411.tif 000007
【図６】
2017221411.tif 000008
【図７】
2017221411.tif 000009
【図８】
2017221411.tif 000010
【図９】
2017221411.tif 000011
【図１０】
2017221411.tif 000012
【図１１】
2017221411.tif 000013
【図１２】
2017221411.tif 000014
【図１３】
2017221411.tif 000015
【図１４】
2017221411.tif 000016
【図１５】
2017221411.tif 000017
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
電力需要地における蓄電装置の充放電を制御する制御装置であって、
前記電力需要地において発電される電力、又は、前記電力需要地において消費される電力のうちの少なくともいずれかに関する指標の予測情報であって、第１の時点において予測される第１の予測情報と、前記第１の時点よりも後の第２の時点において予測される第２の予測情報と、を記憶する予測情報記憶手段と、
前記第１の時点では、前記予測情報記憶手段に記憶された前記第１の予測情報に基づいて、前記蓄電装置の充放電を制御し、前記第２の時点では、前記予測情報記憶手段に記憶された前記第２の予測情報に基づいて、前記蓄電装置の充放電を制御する充放電制御手段と、
前記指標の、前記第１の時点における実績情報を取得する実績情報取得手段と、
前記第２の時点より前に、前記第１の予測情報と前記実績情報との関係に基づいて、前記予測情報記憶手段に記憶された前記第２の予測情報を補正する補正手段と、を備える、
制御装置。
【請求項２】
前記予測情報記憶手段に記憶された前記第１の予測情報及び前記第２の予測情報に基づいて、前記蓄電装置による充放電の計画を生成する計画生成手段、を更に備え、
前記充放電制御手段は、前記計画生成手段によって生成された前記計画に従って、前記蓄電装置の充放電を制御し、
前記計画生成手段は、前記補正手段によって前記第２の予測情報が補正されると、前記補正手段によって補正された後の前記第２の予測情報に基づいて、前記計画を更新する、
請求項１に記載の制御装置。
【請求項３】
前記予測情報記憶手段に記憶された前記第１の予測情報及び前記第２の予測情報に基づいて、前記第１の時点及び前記第２の時点における、前記電力需要地における発電量又は消費電力量のうちの少なくともいずれかを予測する予測手段、を更に備え、
前記計画生成手段は、前記予測手段によって予測された前記発電量又は前記消費電力量に基づいて、前記計画を生成する、
請求項２に記載の制御装置。
【請求項４】
前記補正手段は、前記第１の予測情報と前記実績情報との乖離の度合が閾値より大きい場合に、前記実績情報に基づいて、前記予測情報記憶手段に記憶された前記第２の予測情報を補正する、
請求項１から３のいずれか１項に記載の制御装置。
【請求項５】
前記補正手段は、前記予測情報記憶手段に記憶された前記第２の予測情報を代替データで置換することで、前記予測情報記憶手段に記憶された前記第２の予測情報を補正する、
請求項１から４のいずれか１項に記載の制御装置。
【請求項６】
前記補正手段は、前記予測情報記憶手段に記憶された前記第２の予測情報を前記代替データで置換した後、前記第２の予測情報と前記実績情報との乖離の度合が閾値より大きい場合に、前記実績情報に基づいて、前記予測情報記憶手段に記憶された前記第２の予測情報を補正する、
請求項５に記載の制御装置。
【請求項７】
前記第１の予測情報と前記実績情報との関係に基づいて、前記蓄電装置の充放電、又は、前記電力需要地において消費される電力のうちの少なくともいずれかを調整する調整手段、を更に備える、
請求項１から６のいずれか１項に記載の制御装置。
【請求項８】
前記調整手段は、ユーザが経済性と快適性と環境性とのうちのいずれを優先するかに応じて、前記蓄電装置の充放電と前記電力需要地において消費される電力とのうちのいずれかを調整する、
請求項７に記載の制御装置。
【請求項９】
前記調整手段は、前記実績情報取得手段によって前記実績情報が取得されると、前記予測情報記憶手段に記憶された複数の時点における予測情報のうちの、前記実績情報と対応する時点における予測情報と、前記実績情報と、の乖離の度合が第２の閾値より大きい場合、前記蓄電装置の充放電、又は、前記電力需要地において消費される電力のうちの少なくともいずれかを調整する、
請求項７又は８に記載の制御装置。
【請求項１０】
前記補正手段は、前記実績情報取得手段によって前記実績情報が取得されると、前記予測情報記憶手段に記憶された複数の時点における予測情報のうちの、前記実績情報と対応する時点における予測情報と、前記実績情報と、の乖離の度合が第１の閾値より大きい場合、前記予測情報記憶手段に記憶された前記複数の時点における予測情報のうちの現時点より後の予測情報を補正する、
請求項９に記載の制御装置。
【請求項１１】
前記第２の閾値は、前記第１の閾値より大きい、
請求項１０に記載の制御装置。
【請求項１２】
前記予測情報記憶手段に記憶された前記第１の予測情報と、前記実績情報取得手段によって取得された前記実績情報と、のうちの少なくともいずれかを報知する報知手段、を更に備える、
請求項１から１１のいずれか１項に記載の制御装置。
【請求項１３】
前記報知手段は、前記補正手段によって補正される前の前記第２の予測情報と、前記補正手段によって補正された後の前記第２の予測情報と、を報知する、
請求項１２に記載の制御装置。
【請求項１４】
前記予測情報記憶手段は、前記電力需要地において発電される電力に関する指標の予測情報として、前記電力需要地における天気、日照時間、又は日射量の予測情報を記憶し、前記電力需要地において消費される電力に関する指標の予測情報として、前記電力需要地における少なくとも１つの機器の稼働状態、気温、湿度、又は電力の価格の予測情報を記憶する、
請求項１から１３のいずれか１項に記載の制御装置。
【請求項１５】
請求項１から１４のいずれか１項に記載の制御装置と、前記蓄電装置と、前記蓄電装置に充電又は放電させる電力変換装置と、を備える、
電力管理システム。
【請求項１６】
電力需要地における蓄電装置の充放電の制御方法であって、
第１の時点において、前記電力需要地において発電される電力、又は、前記電力需要地において消費される電力のうちの少なくともいずれかに関する指標の予測情報に基づいて、前記蓄電装置の充放電を制御し、
前記指標の、前記第１の時点における実績情報を取得し、
前記予測情報と前記実績情報との関係に基づいて、前記予測情報を補正し、
前記第１の時点より後の第２の時点において、補正した前記予測情報に基づいて、前記蓄電装置の充放電を制御する、
充放電の制御方法。
【請求項１７】
電力需要地において発電される電力、又は、前記電力需要地において消費される電力のうちの少なくともいずれかに関する指標の予測情報であって、第１の時点において予測される第１の予測情報と、前記第１の時点よりも後の第２の時点において予測される第２の予測情報と、を記憶する予測情報記憶手段を備え、前記電力需要地における蓄電装置の充放電を制御するコンピュータを、
前記第１の時点では、前記予測情報記憶手段に記憶された前記第１の予測情報に基づいて、前記蓄電装置の充放電を制御し、前記第２の時点では、前記予測情報記憶手段に記憶された前記第２の予測情報に基づいて、前記蓄電装置の充放電を制御する充放電制御手段、
前記指標の、前記第１の時点における実績情報を取得する実績情報取得手段、
前記第２の時点より前に、前記第１の予測情報と前記実績情報との関係に基づいて、前記予測情報記憶手段に記憶された前記第２の予測情報を補正する補正手段、として機能させる、
プログラム。
【国際調査報告】
2017221411.tif 000018
2017221411.tif 000019
2017221411.tif 000020
2017221411.tif 000021